(57)【特許請求の範囲】
【請求項１】
固定保持枠用の外枠と、この外枠の前側に片持ち形態で開閉可能に組付けられた開閉搭載枠用の前枠と、前枠の前側に片持ち形態で開閉可能に組付けられたガラス扉と、前枠裏側の収容保持枠内に収容される遊技盤と、前枠裏側の収容保持枠に収容された遊技盤を固定する複数の固定部材からなる遊技盤固定保持装置と、前枠裏面の一端にヒンジ部材によって片持ち形態で開閉可能に組付けられた裏機構セット盤とを備えたパチンコ遊技機において、
前記ヒンジ部材には、前記裏機構セット盤を少なくとも開閉可能に組付けるための一のヒンジと、前記遊技盤を片持ち形態で開閉及び着脱可能に組付けるための他のヒンジとが一体的に設けられ、また、
前記遊技盤固定保持装置は、前記複数の固定部材のうち少なくとも２つの固定部材が、操作部の操作により、遊技盤固定位置と遊技盤開放位置との間を連動して変位可能に形成されていると共に、
前記操作部は、前記操作を補助する操作補助部材と着脱可能に係合するように構成され、さらに、
前記操作補助部材は、前記操作部と着脱自在に係合して前記操作を補助すると共に、前記遊技盤に形成された係合孔に着脱可能に係合して前記遊技盤の把持手段を構成することを特徴とするパチンコ遊技機。
【請求項２】
一端側が前記外枠又は前記前枠に回動可能に取り付けられ、自由端側が前記前枠又は前記外枠に係合可能な開放保持部材を備え、この開放保持部材により、前記前枠を前記外枠に対して開放させた状態で保持可能としたことを特徴とする請求項１記載のパチンコ遊技機。
【発明の詳細な説明】
【０００１】
【発明の属する技術分野】
本発明は、前枠裏側に設けられた収容保持枠内に遊技盤が収容セット保持されるタイプのパチンコ遊技機であって、遊技盤の着脱が容易であるパチンコ遊技機に関する。
【０００２】
【従来の技術】
一般的なパチンコ機をはじめ、アレンジボール機、雀球遊技機等の球使用遊技機（以下、本明細書では「パチンコ遊技機」という）は、一般に、縦長方形の外枠の開口前側に、遊技盤や裏機構セット盤を含む各種遊技用構成部材が搭載された前枠が、着脱及び開閉可能に組付られているという構造をしている。そして、遊技盤は、前枠を外枠に対してまた裏機構セット盤を前枠に対して開放した後に現れる、前枠裏面に一体形成された又は取付けられた収容保持枠の収容セット面域（セット口）に挿着される。
【０００３】
【発明が解決しようとする課題】
しかし、一般に遊技盤は、縦横４０cm厚さ２cm近くもあるベニヤをベースとしており、その前後には多くの部品が取り付けられているため、非常に重い。しかも、収容セット面域（セット口）は、一般的には、遊技盤に適合させた形状であり、遊技盤との収容保持枠との間隔は通常１mm程度であり、殆ど遊びがないこと等を考え合わせると、収容保持枠内への遊技盤の挿着や取出しは、非常に難儀な作業である。
【０００４】
加えて、収納保持枠内への遊技盤の固定に関しては、一般的には、遊技盤は、前枠裏面の収容保持枠周囲に設けられた複数の固定レバーにより固定されている。そして、遊技盤を着脱する際は、これら複数の固定レバーを夫々、遊技盤固定位置から遊技盤開放位置又は遊技盤開放位置から遊技盤固定位置に変位させる必要があり、面倒であった。
【０００５】
【発明が解決しようとする課題】
したがって、本発明は、収容保持枠内への遊技盤の容易な着脱を可能とする技術を提供することを目的とする。
【０００６】
【課題を解決するための手段】
上記課題を解決すべく提供される本発明は、固定保持枠用の外枠と、この外枠の前側に片持ち形態で開閉可能に組付けられた開閉搭載枠用の前枠と、前枠の前側に片持ち形態で開閉可能に組付けられたガラス扉と、前枠裏側の収容保持枠内に収容される遊技盤と、前枠裏側の収容保持枠に収容された遊技盤を固定する複数の固定部材からなる遊技盤固定保持装置と、前枠の裏側に片持ち形態で開閉可能に組付けられた裏機構セット盤とを備えたパチンコ遊技機において、前枠裏面の一端で、遊技盤を片持ち形態で開閉及び着脱可能に組付けるための手段を更に有し、また、前記遊技盤固定保持装置は、前記複数の固定部材のうち少なくとも２つの固定部材が、操作部の操作により、遊技盤固定位置と遊技盤開放位置との間を連動して変位可能に形成されていると共に、前記操作部は、前記操作を補助する操作補助部材と着脱可能に係合するように構成されていることを特徴とする。
【０００７】
なお、遊技盤は、前枠の裏側の一端に片持ち形態で開閉可能に組付けられているが、一部部材を共通する形で、裏機構セット盤が前枠の裏側に片持ち形態で開閉可能に組付けられている態様を好適例として挙げる。換言すれば、前枠開閉機構と裏機構セット盤開閉機構が一体化した態様である。
【０００８】
【実施例】
次に図１〜１５を参照しながら実施例１を説明する。なお、本実施例では、遊技盤の遊技領域内でセーフ球とアウト球の区分発生を含むパチンコゲームを展開しうる一般的なパチンコ機を主たる例とし、同機裏側に遊技済み球（セーフ球及びアウト球）の排出処理経路や球貯留供給装置そして各種の制御基板等を備えた裏機構が装備された実施形態を示す。また、本明細書において、「正面」、「裏面」、「左」及び「右」という場合、すべて正面前方を基準とする。
【０００９】
まず、パチンコ機全体の基本的構成を図１及び図２を参照して説明すると、機枠又は外郭機体として所定の縦長方形枠サイズに構成されて設置枠台（遊技島ともいう）に固定保持される外枠Ａの前側開口面域に、これに合わせた縦長方形枠サイズに構成された開閉搭載枠用の前枠Ｂが、互いの正面左側上下部に配設された開閉連結支持手段（ヒンジ部材又は蝶番ともいう）Ｇ及び正面右側内部に配設された施錠装置（図示せず）を利用して、開閉（片持ち左右横開き）及び着脱が可能に組付けられて閉鎖状態に保持される。そして、この前枠Ｂの各部に必要な遊技構成部材として、前枠Ｂの前側面域に合わせた方形枠サイズのガラス扉Ｄ（ガラス窓ともいう）が、開閉連結支持手段及び施錠装置（図示せず）を利用して開閉（片持ち左右開き）及び着脱が可能に組付けられて閉鎖状態に保持される一方、下球皿（図示せず）及び打球発射装置が夫々装備されている。また、上球皿も、開閉連結支持手段及び施錠装置（図示せず）を利用して、開閉（片持ち左右開き）及び着脱が可能に組付けられて閉鎖状態に保持される。また、前枠Ｂの窓口裏側に合わせた方形枠サイズの収容保持枠に対して遊技盤Ｃが着脱交換可能に収容セット保持されて前面の遊技領域をガラス扉Ｄの正面に望ませており、前枠Ｂの裏側に裏機構セット盤Ｅが、開閉連結支持手段並びに後述の施錠手段を利用して片持ち左右横開き可能に組付けられて閉鎖状態に保持されている。
【００１０】
なお、前記外枠Ａは、木材製の縦長方形枠を例示し、また、図５に示されるように、前記前枠Ｂと収容保持枠Ｂａは、一体に樹脂成形された前後二重枠形態を例示する。また、前記遊技盤Ｃは、収容保持枠Ｂａの収容面域の内法に合わせた方形サイズで裏側から着脱されるタイプを例示し、盤前面のレール（図示せず)の内側に、各種の遊技部品（入賞成立発生する大小の入賞具や図柄表示装置を含む）と多数本の遊技釘との配置設定に基づく前記遊技領域とアウト口を構成しており、そして収容面域の周囲に配設された後述の施錠手段で固定保持されるようになっている。
【００１１】
遊技盤Ｃの開閉連結支持機構
標記機構を図３〜９を参照しながら説明する。図３に示されるように、標記機構は、概略、遊技盤Ｃが、開閉連結支持手段Ｆにより、前枠Ｂの裏面に開閉（片持ち左右開き）及び着脱が可能なように組付けられているという構成を採っている。以下、標記機構を詳述する。なお、図３からも理解できるように、開閉連結支持手段Ｆは、遊技盤Ｃを開閉連結支持する機能の他、裏機構セット盤Ｅを開閉連結支持する機能も有するが、これについては後述する。
【００１２】
図４に示されるように、開閉連結支持手段（開閉機構）Ｆは、３個のヒンジ金具（１５、１７、１８）を一セットとした上下２個のヒンジ部材からなる。なお、上下２個のヒンジ部材の構造は同一であるので、以下では、上のヒンジ部材のみについて説明する。図４に示されるヒンジ部材Ｆの３個のヒンジ金具（１５、１７、１８）の内、遊技盤Ｃの開閉連結支持に関連したヒンジ金具は、その内２個（１５、１７）であり、装着時には、ヒンジ金具１７に開けられた孔１７ａ内に、ヒンジ金具１５に設けられた突起１５ａが入り係合する構成を採っている。なお、突起１５ａは、孔１７ａの係合を容易にするため、上部では円錐形状をしており、係合後は遊技盤Ｃが前枠Ｂに対してぐらつかないように、下部では円柱形状をしている。他方、孔１７ａの径も、係合を容易にするため、前記円錐上部での径と比較して十分大きく設定し、また、係合後は遊技盤Ｃが前枠に対してぐらつかないように、かつ、前枠Ｂに対する遊技盤Ｃのスムースな開閉動作が可能なように、前記円柱の径と比較して若干大きく設定する。
【００１３】
ヒンジ金具１７は、遊技盤Ｃの裏面左端の上下にネジ固定されている（但し、図４では上部のみが示されている）。また、ヒンジ金具１５は、図５に示されるように、前枠Ｂの左縁側上下にネジ固定されている。
【００１４】
遊技盤Ｃを収容保持枠Ｂａ内に収容セット保持する際には、図６に示されるように、遊技盤Ｃの裏面左部上下２箇所に設けられたヒンジ金具１７の孔１７ａの両方（図では上のヒンジ金具のみ図示）を、前枠Ｂの裏面左縁側の上下２箇所に設けられたヒンジ金具１５の突起１５ａの両方（図では上のヒンジ金具のみ図示）に係合させると、遊技盤Ｃは、前枠Ｂの裏面で片持ち状態に支持される。そして、前枠Ｂ側へ遊技盤Ｃを回動させる（図３中の矢印方向）ことにより、図７に示されるように、遊技盤Ｃは収容保持枠Ｂａ内に収容される。
【００１５】
ここで、図８及び図９に示されるように、遊技盤Ｃが収容セットされた状態において、ヒンジ金具１５とヒンジ金具１７との間にスペースＳ１が形成されることが好適である。即ち、遊技盤Ｃが収容セットされた状態における、遊技盤Ｃの底面と収容保持枠Ｂａの下枠杆上面（或いは、下枠杆に台座が設けられている場合にはこの台座）との接触状態を担保するため、遊技盤固定状態において、遊技盤Ｃに固定されたヒンジ金具１７が、前枠Ｂに固定されたヒンジ金具１５に対して浮く（スペースＳ１が形成される）ような構成を採ることが好適である。このような構成を採ることにより、遊技補助盤に設けられた発射レールと遊技盤Ｃに設けられたレールとの整合が担保され、遊技時の円滑な球出しが可能となる。
【００１６】
遊技盤Ｃの固定保持機構
図５及び図１０〜１４を参照しながら標記機構を説明する。図５に示されるように、標記機構は、前枠Ｂの裏面右縁側の上下２箇所、左縁側の１箇所及び下側の１箇所に設けられており、夫々の軸を中心に回動可能な、遊技盤固定部材２０Ａ〜２０Ｄから構成されている。遊技盤固定部材２０Ａ〜２０Ｄは、夫々該部材が遊技盤Ｃの裏面に当接する位置（遊技盤固定位置、図５参照）と、収容保持枠Ｂａからの遊技盤Ｃの着脱に干渉しない位置（遊技盤非固定位置）に回動可能である。ここでは、下・右に設けられた遊技盤固定部材２０Ｃ及び２０Ｄは従来と変わらないので説明を割愛し、本実施例の特徴である右部の遊技盤固定部材２０Ａ及び２０Ｂについて詳述する。
【００１７】
図１０に示されるように、右の側枠杆に設けられた遊技盤固定部材２０Ａと２０Ｂは、連結杆２３を介して互いに連結している。更に、施錠操作部２４が、右の側枠杆に軸支されており、その自由端が連結杆２３とピンを介して連結している。そして、施錠操作部２４を回動させることにより、１回の操作で、両者を遊技盤開放位置・遊技盤非開放位置に配することができる。この機構につき更に詳述すると、図１０に示されるように、遊技盤固定部材２０Ａ及び２０Ｂは、前枠Ｂの裏面右縁側の上下に軸支されている。そして、図１０及び図１１に示されるように、遊技盤固定部材２０Ａ及び２０Ｂは、夫々の部材の回動により、遊技盤固定位置（図１０参照）又は遊技盤非固定位置（図１１参照）に変位する。ここで、図１０に示されるように、遊技盤固定部材２０Ａ及び２０Ｂは、該部材の右端（図では左端）で、連結杆２３をピン支持している。結果、全体としては、連結杆２３を介して、遊技盤固定部材２０Ａ及び２０Ｂが連結した構成を採っている。更に、図１０及び図１１に示されるように、施錠操作部２４が、遊技盤固定部材２０Ａと２０Ｂとの間で、前枠Ｂの裏面右縁側に軸止されていると共に、ピン２６を介してその自由端で連結杆２３と連結している。そして、施錠操作部２４の回動により、連結杆２３が上下に移動し、その結果として遊技盤固定部材２０Ａ及び２０Ｂが回動する。更に、図１２に示されるように、施錠操作部２４の回動を補助する手段として、施錠操作補助部材２５を採用している。施錠操作補助部材２５は、施錠操作部２４と係脱可能に構成されており、手動操作に適した大きさの長手レバー２５ａ、鍵部２５ｂ及び軸部２５ｃとからなる。施錠操作部２４側には、施錠操作補助部材２５の鍵部２５ｂが係合可能な鍵穴部２４ａが、係合後に施錠操作補助部材２５の長手レバー２５ａが略水平方向に配されるように設けられている。そして、鍵部２５ｂを鍵穴部２４ａに差込んだ後に、施錠操作補助部材２５を回動させることにより、施錠操作部２４も追従して回動する。このような構成を採ることにより、少ない力でも大きな回転モーメントを得ることができるので、施錠操作部２４の回動、ひいては遊技盤固定部材２０Ａ及び２０Ｂの遊技盤固定位置や遊技盤非固定位置への変位操作が非常に容易になる。
【００１８】
なお、図示されていないが、前枠Ｂ裏面には、前枠やガラス枠用の施錠装置が設けられているため、連結杆２３等は、施錠装置と干渉しないよう適宜配置されている。
【００１９】
裏機構セット盤Ｅの開閉連結支持機構
標記機構は、基本的には従来のものと同一原理のヒンジ部材からなる。但し、前記のように、遊技盤Ｃの開閉連結支持機構である開閉連結支持手段Ｆが、裏機構セット盤Ｅの開閉連結支持機構としての機能も有する点で、従来のものと異なる。このような構成を採ることにより、部品点数を削減することができる。なお、上下２個のヒンジ部材の構造は同一であるので、上のヒンジ部材のみについて説明する。図４に示されるように、裏機構セット盤Ｅの開閉連結支持機構としての開閉連結支持手段Ｆは、遊技盤Ｃの開閉連結支持機構の一部材でもあるヒンジ金具１５と、裏機構セット盤Ｅ用のヒンジ金具１８とからなる。なお、ヒンジ金具１５に設けられた突起１５ｂと、ヒンジ金具１８に設けられた孔１８ａに関しては、遊技盤Ｃの開閉連結支持手段に関し上述したことと同一であるので、説明を割愛する。
【００２０】
裏機構セット盤Ｅを前枠Ｂの裏面にセットする際には、図６に示されるように、裏機構セット盤Ｅの正面左部上下２箇所に設けられたヒンジ金具１８の孔１８ａの両方（図では上のヒンジ金具のみ図示）を、前枠Ｂの裏面左縁側の上下２箇所に設けられたヒンジ金具１５の突起１５ｂの両方（図では上のヒンジ金具のみ図示）に係合させると、裏機構セット盤Ｅは、前枠Ｂの裏面で片持ち状態に支持される。そして、裏機構セット盤Ｅを前枠Ｂ側へ回動させて前枠Ｂと当接させた後締付固定することにより、図７に示されるような、前枠Ｂに裏機構セット盤Ｅが固定された状態となる。
【００２１】
前枠の開放保持機構
図３、図８、図９及び図１５（特に図３及び図１５）を参照しながら標記機構を説明する。図３に示されるように、開放保持部材５０を外枠Ａの上枠杆下に収納するためのフック部材４０１（金属製）が、上枠杆下にねじで締付固定されている。開放保持部材５０は、図３に示されるように、フック部材４０１に対して開閉連結支持手段Ｇ寄りの、外枠Ａの上枠杆下に固定された回動支点ねじ（回動支点部）５２に回動可能に支持されている。図１５に示されるように、開放保持部材５０の自由端５０ａは、後述の凹状の係合保持部５３と係合する係合固定部５０ｂを有する。係合固定部５０ｂは、ナット部材５０ｃ、鍔部材５０ｄ及び間軸部５０ｅ（この幅は、係合保持部５３の厚みより若干大きく設定される）からなり、間軸部５０ｅは、係合保持部５３の凹部と係脱可能である。これにより、開放保持部材５０の自由端５０ａを係合保持部５３にセットした後は、係合保持部５３に対しての自由端５０ａの前後の移動が制限される。開放保持部材５０の長さは、原則的に、回動支点部と係合保持部との距離に対応し、したがって、回動支点ねじ５２と係合保持部５３がどこに設置されているかに依存する。また、開放保持部材５０の形状は、本実施例では、自由端５０ａ近傍で「く」の字形に曲げられているが、カーブ形等を含め、その形状は限定されない。更に、材質に関しても、金属製が好ましいものとして挙げられるが、十分な強度を有する限り、その他の材質でもよい。
【００２２】
２箇所の係合保持部５３が形成された係合保持金具は、前枠Ａに対する裏機構セット盤Ｅの開閉に干渉しないような、枠体の上枠杆の裏面の適当な位置に、ねじ等の手段により付設されている。本実施例においては、上枠杆の裏面上部に一体形成された凹部内に、係合保持金具が付設されている。このような構成を採れば、非使用時に開放保持機構は邪魔にならない。
【００２３】
前枠の開放保持機構において、開放した前枠Ｂを所望位置に保持する場合には、開放保持部材５０を回動させて、間軸部５０ｅを一方の係合保持部５３中に挿嵌し、係合固定部５０ｂと係合保持部５３とを係合させる。これにより、開放保持部材５０は外枠Ａと前枠Ｂとの間に係るストッパー部材として機能し、前枠Ｂは、所望位置（図１５の実線で示したように、左の係合保持部に挿嵌させた場合は、前枠に対して９０度の位置；同図の想像線で示したように、右の係合保持部に挿嵌させた場合は、前枠に対して１００度の位置）で拘束（ロック）され、安定に保持される。なお、前枠Ｂに対する拘束の解除は、係合固定部５０ｂを係合保持部５３から嵌脱させ、開放保持部材５０を元位置まで回動させることにより行われる。
【００２４】
回動支点部及び係合保持部の設置位置に関しては、開放保持機構、前枠及び外枠の破損防止の観点から、いずれも開閉連結支持手段Ｇ上やその近傍（好適には５cm以内）に設けられていないことが好ましい。開閉連結支持手段Ｇ上やその近傍に設置されている場合には、前枠Ｂによる押圧（時として引張力）が非常に大きいため、開放支持部やこの部品が付設された前枠・外枠の部分破壊が生じるからである。なお、本実施例においては、回動支点部が外枠側に設けられ、係合保持部が前枠側に設けられているが、その逆も可能である。
【００２５】
裏機構セット盤の開放保持機構
図３を参照しながら標記機構を説明する。図３に示されるように、外枠Ａの上枠杆の裏面に、先端がフック状のアーム部を有するレバー部材８０が設けられている。このレバー部材８０は、アーム部が外枠Ａの外に出る位置（固定位置）と、外枠Ａ内に収納される位置（開放位置）とに変位可能なように外枠Ａ裏面に軸支されている。そして、図３に示されるように裏機構セット盤Ｅを外枠Ａに近接又は当接させた状態で、このレバーを固定位置に変位させることにより、裏機構セット盤Ｅに固定された玉タンク９０の縁に前記アーム部がフックされ、その結果、外枠Ａに対し裏機構セット盤Ｅが若干開いた状態で固定保持される。
【００２６】
上記の前枠・裏機構セット盤の開放保持機構を設けることにより、裏機構セット盤の裏側点検、制御基板の点検・交換、遊技盤の裏側目視点検、遊技盤の着脱、裏機構セット盤・制御基板・遊技盤の修理等が容易となる。
【００２７】
次に、図１６を参照しながら実施例２を説明する。
【００２８】
本実施例は、実施例１での施錠操作補助部材２５を収納するための係合孔を遊技盤Ｃに設けた態様である。図１６に示されるように、この係合孔Ｃｓは、施錠操作補助部材２５の鍵部２５ｂが鉛直方向を向いている場合（即ち、図１２に示されている操作補助部材２５の向きの場合）には鍵部２５ｂの挿入が可能であり、逆に鍵部２５ｂが水平方向を向いている場合（即ち、図１６に示された施錠操作補助部材２５の向きの場合）には鍵部２５ｂの脱着が不可能となるような形状や大きさを採る。例えば、図１２に示された、施錠操作部２４に設けられた鍵孔部２４ａと同じような形状や大きさ、即ち、施錠操作補助部材２５の鍵部２５ｂの断面形状よりも若干大きく設定された鍵状孔や、楕円孔（長軸径が鍵部２５ｂの最大幅より大きく、短軸径が鍵部２５ｂの最大幅より小さく設定）が挙げられる。なお、本実施例においては、施錠操作補助部材２５の軸部ｃの長さ（即ち、鍵部２５ｂの付け根から長手レバー２５ａの付け根までの長さ）が、遊技盤Ｃの厚さと同等以上に設定されている。
【００２９】
施錠操作補助部材２５を収納する際には、まず、施錠操作補助部材２５の長手レバー２５ａが水平になるように持ち、鍵部２５ｂが鉛直方向を向くようにして、係合孔Ｃｓに差込む。そして、鍵部２５ｂが遊技盤Ｃを完全に貫通した段階で、長手レバー２５ａを回転させ、長手レバー２５ａを鉛直方向に向ける。この操作により、図１６に示されるように、施錠操作補助部材２５は遊技盤Ｃから抜けなくなる。この状態で長手レバー２５ａを裏面側に引くと（操作者の立場に立てば手前に引くと）、遊技盤Ｃが引き出される。なお、この状態のまま、裏機構セット盤Ｅや前枠Ｂを閉じ、通常遊技を行うことが可能なように、他の部材に干渉しない構成を採ることが好適である。この構成を採ることにより、施錠操作補助部材２５の収容スペースとしても利用できる。
【００３０】
次に、図１７及び図１８を参照しながら実施例３を説明する。
【００３１】
本実施例は、実施例２と基本的には同一構成であるが、実施例２における施錠操作補助部材２５の軸部２５ｃの途中に鍔部を設けた点で相違する。図１７に示されるように、施錠操作補助部材２７は、長手レバー２７ａ、鍵部２７ｂ、第一軸部２７ｃ、第二軸部２７ｄ及び鍔部２７ｅとからなる。そして、第一軸部２７ｃの長さ（即ち、鍵部２７ｂの付け根から鍔部２７ｅの付け根までの長さ）が、遊技盤Ｃの厚さと同じかやや大きく設定されている。他方、図１７に示されるように、係合孔Ｃｓは、実施例２と同じく、施錠操作補助部材２７の鍵部２７ｂが鉛直方向を向いている場合には鍵部２７ｂの挿入が可能であり、逆に鍵部２７ｂが水平方向を向いている場合には鍵部２７ｂの挿入が不可能となるような形状や大きさである、図１７に示されるような鍵孔形状を採る。
【００３２】
施錠操作補助部材２７を遊技盤Ｃに取付ける際には、まず、図１７及び図１８の想像線で示されるように、施錠操作補助部材２７の長手レバー２７ａが水平になるように持ち、鍵部２７ｂが鉛直方向を向くようにして、係合孔Ｃｓに差込む。そして、鍔部２７ｅの正面が遊技盤Ｃの裏面に当接するまで施錠操作補助部材２７を押し込み、当接後に、図１８の実線で示されるように、長手レバー２７ａを回転させ、長手レバー２７ａを鉛直方向に向ける。この操作により、図１８に示されるように、施錠操作補助部材２７がその前後でしっかり固定される。この状態においては、実施例２のように遊技盤Ｃを引き出すことが可能であると共に、遊技盤Ｃの把持手段としても機能するので、遊技盤の取付けや取り外しの際に、この長手レバー２７ａを把持することができ、持ち運びに極めて便利である。更に、この状態（施錠操作補助部材２７が遊技盤Ｃに固定されている状態）のまま、裏機構セット盤Ｅや前枠Ｂを閉じ、通常遊技を行うことが可能なように、他の部材に干渉しない構成を採ることが好適である。この構成を採ることにより、施錠操作補助部材２７の収容スペースとしても利用できる。
【００３３】
次に、実施例１〜３の変更例を説明する。
【００３４】
遊技盤Ｃの固定保持機構の変更例
上記実施例は、遊技盤固定部材２０Ａ〜２０Ｄが、遊技盤Ｃの裏面に直に当接する態様であった（即ち、遊技盤固定部材により遊技盤Ｃのみを固定するものであった）が、本変更例は、遊技盤Ｃと裏機構セット盤Ｅの両方を同時に固定するもの（共締タイプ）である。例えば、図１３に示されるように、裏機構セット盤Ｅは、その正面左端部において、金属プレート４０がネジ台座４１上にネジ固定されている。そして、裏機構セット盤Ｅと金属プレート４０との間には、遊技盤固定部材２０Ｅが侵入可能な隙間Ｓ２が設けられている。遊技盤固定時には、収容保持枠Ｂａに収容セットされた遊技盤Ｃの裏面左部を、裏機構セット盤Ｅの正面左端部が押さえつけた状態で、遊技盤固定部材２０Ｅが金属プレート４０の裏面に当接することにより、裏機構セット盤Ｅと遊技盤Ｃの両方が共締め固定される。また、遊技盤の裏面右部においても同様の構成をとっている（図示せず）。このような構成を採ることにより、操作回数及び部品点数の削減を図ることができる。
【００３５】
前枠及び裏機構セット盤の開放保持機構の変更例
上記実施例においては、前枠と裏機構セット盤とをそれぞれ別々の機構で開放保持する態様であったが、本変更例は、前枠と裏機構セット盤を同一の機構で開放保持するというものである。図１５の点線に示されるように、前枠Ｂの開放保持部材５０の周面上に、ストッパ部材５１が装備されている。ストッパ部材５１は、開放保持部材５０上に回動及び移動可能に保持されており、かつ、ストッパ部材５１を貫通し開放保持部材５０に当接可能なネジ（図示せず）の締め付けにより、ストッパ部材５１を所望位置・角度で固定可能である。裏機構セット盤Ｅの保持時には、ストッパ部材５１は鉛直下向きに配される（図示せず）。その結果、図１５に示されるように、ストッパ部材５１の自由端が、裏機構セット盤Ｅの正面と当接し、裏機構セット盤Ｅが所望の位置でストッパ部材５１により係止される。また、非保持時には、ストッパ部材５１は、その自由端が水平方向に配される（図示せず）。その結果、裏機構セット盤Ｅの開閉に際してのストッパ部材５１（特に自由端）の干渉を防止できると共に、外枠Ａ内への開放保持部材５０の収納が容易となる。
【００３６】
開閉連結支持機構の変更例
実施例においては、開閉連結支持手段Ｆは、遊技盤開閉機構と裏機構セット盤開閉機構の両方の機能を有するという一体型であったが、裏機構セット盤開閉機構の機能を有していなくてもよい（別体型）。また、実施例では、上下二個のヒンジ部材のいずれもが両方の機能を有しているが、上下一方のヒンジ部材のみを共通化してもよい（一部別体型）。なお、別体型及び一部別体型においては、裏機構セット盤を前枠裏面と連結支持する別の開閉連結支持手段（例えばヒンジ）を設ける必要がある。
【００３７】
【効果】
本発明に係るパチンコ遊技機によれば、遊技盤の着脱の際に遊技盤が前枠裏面で片持ち状態に支持されているので、これまでのように、重い遊技盤を手で支えつつ、遊技盤のサイズに対して殆ど遊びの無い収容枠内に遊技盤にセットしたり外したりするという困難な作業から解放される。加えて、一回の操作で複数の固定部材が、遊技盤固定位置又は遊技盤開放位置に変位可能である。したがって、前記複数の固定部材を夫々変位させるという作業を行う必要がなくなり、煩わしさから解放される。更には、施錠操作補助部材を備えているので、少ない力でも操作部を回動させることができ、変位操作が容易である。
【図面の簡単な説明】
【図１】本発明の実施例におけるパチンコ遊技機の正面図である。
【図２】本発明の実施例に係るパチンコ遊技機の背面図である。
【図３】本発明の実施例に係る、前枠と裏機構セット盤とを開放保持した状態での、遊技盤の着脱状況を示したパチンコ遊技機の上面図である。
【図４】本発明の実施例における、遊技盤と裏機構セット盤の開閉連結支持機構の斜視図である。
【図５】本発明の実施例に係る、裏機構セット盤が除かれた状態のパチンコ遊技機の背面図である。
【図６】本発明の実施例における、遊技盤及び裏機構セット盤の片持ち状態を示したパチンコ遊技機の上面図である。
【図７】本発明の実施例における、遊技盤及び裏機構セット盤が閉じた状態を示したパチンコ遊技機の上面図である。
【図８】本発明の実施例における、遊技盤が収容保持枠内に収容されている状態で、開閉連結支持機構の部材間に隙間が生じていることを示す、パチンコ遊技機の側断面図である。
【図９】本発明の実施例における前枠の開放保持機構が示された、前枠及び裏機構セット盤が開放された状態でのパチンコ遊技機の背面図である。
【図１０】本実施例における、連結構造タイプの遊技盤固定手段が示されているパチンコ遊技機の背面図である。
【図１１】本実施例における、連結構造タイプの遊技盤固定手段の拡大図である。
【図１２】本実施例における、連結構造タイプの遊技盤固定手段の拡大斜視図である。
【図１３】本発明の実施例における、遊技盤と裏機構セット盤が共締固定されている状態を示すパチンコ遊技機の上面図である。
【図１４】本発明の実施例における、遊技盤が固定手段で固定されている状態を示すパチンコ遊技機の上面図である。
【図１５】本発明の実施例における、前枠と裏機構セット盤が開放保持されている状態を示すパチンコ遊技機の上面図である。
【図１６】本発明の実施例２における、施錠操作補助部材が遊技盤に挿入されている状態を示すパチンコ遊技機の上断面図である。
【図１７】本発明の実施例３における、施錠操作補助部材の斜視図である。
【図１８】本発明の実施例３における、施錠操作補助部材が遊技盤に挿入されている状態を示すパチンコ遊技機の上断面図である。
【符号の説明】
外枠Ａ；前枠Ｂ；収容保持枠Ｂａ；遊技盤Ｃ；係合孔Ｃｓ；ガラス扉Ｄ；裏機構セット盤Ｅ；開閉連結支持手段Ｆ；開閉連結支持手段Ｇ；スペースＳ１；ヒンジ金具（１５、１７、１８）；突起１５ａ；突起１５ｂ；孔１７ａ；ヒンジ金具１８；孔１８ａ；遊技盤固定部材２０Ａ〜２０Ｄ；連結杆２３；施錠操作部２４；鍵穴部２４ａ；施錠操作補助部材２５；長手レバー２５ａ；鍵部２５ｂ；軸部２５ｃ；ピン２６；施錠操作補助部材２７；長手レバー２７ａ；鍵部２７ｂ；第一軸部２７ｃ；第二軸部２７ｄ；鍔部２７ｅ；金属プレート４０；ネジ台座４１；開放保持部材５０；自由端５０ａ；係合固定部５０ｂ；ナット部材５０ｃ；鍔部材５０ｄ；間軸部５０ｅ；ストッパ部材５１；回動支点ねじ５２；係合保持部５３；レバー部材８０；玉タンク９０；フック部材４０１
【図１】
0003923754.tif 000002
【図２】
0003923754.tif 000003
【図３】
0003923754.tif 000004
【図４】
0003923754.tif 000005
【図５】
0003923754.tif 000006
【図６】
0003923754.tif 000007
【図７】
0003923754.tif 000008
【図８】
0003923754.tif 000009
【図９】
0003923754.tif 000010
【図１０】
0003923754.tif 000011
【図１１】
0003923754.tif 000012
【図１２】
0003923754.tif 000013
【図１３】
0003923754.tif 000014
【図１４】
0003923754.tif 000015
【図１５】
0003923754.tif 000016
【図１６】
0003923754.tif 000017
【図１７】
0003923754.tif 000018
【図１８】
0003923754.tif 000019